(57)【特許請求の範囲】
【請求項１】
スリッパ台と甲覆体とを具えた簡易スリッパであって、前記スリッパ台は、片面段ボール素材を用いた上部台板要素と下部台板要素とが、それぞれのフルート面が上下に配置されるように、ライナーにより相互の接着がされた構成であり、且つ各上下の台板要素における段ボールのフルートの波線は、上部台板要素にあってはスリッパ台の幅方向に伸び、一方下部台板要素にあってはスリッパ台の長手方向に伸びるように組み合わされ、更に上下の各台板要素の周縁の切断端縁は、ジグザグ状に形成され、更にまた段ボールのフルートの端縁は押し潰されていることを特徴とする簡易スリッパ。
【請求項２】
前記スリッパ台の台板要素の上下いずれか、または双方には、甲覆体の固定位置の表示が打かれて形成されていることを特徴とする前記請求項１記載の簡易スリッパ。
【請求項３】
前記甲覆体は、帯状クレープ素材により構成されていることを特徴とする前記請求項１または２記載の簡易スリッパ。
【請求項４】
前記甲覆体は、その両端の固定部がスリッパ台を構成する台板要素間に挟み込まれて固定されていることを特徴とする前記請求項１、２または３記載の簡易スリッパ。
【発明の詳細な説明】
【技術分野】
【０００１】
本発明は、リラックスした状況での使用に適した紙製のスリッパに関するものである。
【背景技術】
【０００２】
室内での簡易な履物としてスリッパが用いられているが、歩行を主目的としない状況、例えばホテルの室内での使用、自動車、列車、航空機等の乗り物の室内でのリラックスした状況での使用、更には不特定多数での共同使用が好ましくない、医療機関等における使用等にあっては、より簡便且つ使い捨てのスリッパを用いることが行われている。
このような目的に合わせ、従来から紙製スリッパが多く提案されているが、当然ながら簡易さの追及から、例えば一枚の板紙により、スリッパ台部と甲覆部とを構成し、使用にあたって甲覆部を立体形成させて用いる等の手法が多い（先行技術文献１）。
このような手法のものは、簡便さの追求に重きが置かれ、その結果使い心地については、紙製であることに因み、充分満足できなくとも、これを甘受すべきものとの割り切りが支配的であり、これ以上の工夫は多くは見られなかった。
【０００３】
もちろんスリッパ台に段ボールを用いて、その嵩だか性を増し、板紙を上回る履き心地を実現させたものも提案されている（先行特許文献２、３）。
しかしながら、これら先行技術についても段ボール素材により、いわゆるソフトな履き心地は得ているにしてもそれに留まり、それ以上の工夫、例えば足へのフィット感の向上等への工夫はされていない。
【先行技術文献】
【特許文献】
【０００４】
【特許文献１】実用新案登録第３０９０１８６号公報
【特許文献２】特開２０１０−２９６１７号公報
【特許文献３】特開平１１−１７８６０２号公報
【発明の概要】
【発明が解決しようとする課題】
【０００５】
本発明は、これらの従来手法を考慮してなされたものであって、スリッパ台に段ボール素材を用いること前提として、段ボール素材であることに因む曲げ方向特性を更に活用して、履き心地、フィット感を含む使用感を向上させることができる新規な簡易スリッパの開発を試みたものである。
【課題を解決するための手段】
【０００６】
請求項１記載の簡易スリッパは、スリッパ台と甲覆体とを具えた簡易スリッパであって、前記スリッパ台は、片面段ボール素材を用いた上部台板要素と下部台板要素とが、それぞれのフルート面が上下に配置されるように、ライナーにより相互の接着がされた構成であり、且つ各上下の台板要素における段ボールのフルートの波線は、上部台板要素にあってはスリッパ台の幅方向に伸び、一方下部台板要素にあってはスリッパ台の長手方向に伸びるように組み合わされ、更に上下の各台板要素の周縁の切断端縁は、ジグザグ状に形成され、更にまた段ボールのフルートの端縁は押し潰されていることを特徴として成るものである。
【０００７】
請求項２記載の簡易スリッパは、前記請求項１記載の要件に加え、前記スリッパ台の台板要素の上下いずれか、または双方には、甲覆体の固定位置の表示が打ち抜かれて形成されていることを特徴として成るものである。
【０００８】
請求項３記載の簡易スリッパは、前記請求項１または２記載の要件に加え、前記甲覆体については、帯状クレープ素材により構成されていることを特徴として成るものである。
【０００９】
請求項４記載の簡易スリッパは、前記請求項１、２または３記載の要件に加えて、前記甲覆体については、その両端の固定部がスリッパ台を構成する台板要素間に挟み込まれて固定されていることを特徴として成るものである。
【発明の効果】
【００１０】
まず請求項１記載の発明によれば、嵩高性のある段ボール素材が台板要素として複数積層されているから、スリッパ台の嵩高性がより強調されソフトな履き心地が得られる。また台板要素における段ボールのフルートの波線が上部台板要素にあっては、スリッパ台の幅方向にフルートの波線が延び、一方下部台板要素にあっては、スリッパ台の長手方向に延びるように組み合わされており、段ボールのフルートの波線に因む、各台板要素の曲げ方向特性が過剰に強調されずに緩和され、移動時における動きが自然なものとなり、これらが相まって簡易スリッパでありながらも、使用感を向上させることができたものである。加えてフルートの凹凸が足の裏を心地よく刺激し、使用感が良い。
【００１１】
特に、台板要素に用いる段ボール素材は、片面段ボールを用いるものであり、嵩高性と簡易さとを追求する点で調和の取れた簡易スリッパが得られる。
【００１２】
また更に、段ボール素材を適用した台板要素の各フルートを上下に向って配置することにより、両者の接着がライナー同士で全面で行われて極めて強固に一体化するとともに、使用者の足の裏にフルートの凹凸が接触して、ほど良い指圧効果を得られるとともに、下面についても、床面の突起等を好ましく緩衝できるものである。加えてスリッパ台の切断端縁がジグザグ状に形成されているから、この部位が鋭利にならず、安全性が高まる。
【００１３】
また請求項２記載の発明によれば、スリッパ台の台板要素の上下いずれか一方または双方に甲覆体の位置決め案内がされており、甲覆体の正確な固定が図られる。しかもこの固定位置の表示は、素材をいわゆるブランク抜きする際に同時に構成することができ、別工程での表示形成加工を必要としない。
【００１４】
また請求項３記載の発明によれば、甲覆体は、帯状のクレープ紙により構成されており、帯状甲覆紙の伸縮作用により、使用者の足の形状に相違があっても、スリッパを確実に履き留めた状態が得られる。
【００１５】
また請求項４記載の発明によれば、甲覆体はその両端の固定部を、スリッパ台を構成する台板要素に挟み込むものであり、その固定が強固に行われる。
【図面の簡単な説明】
【００１６】
【図１】本発明の簡易スリッパと、その分解状態を俯瞰状態、蛙瞰状態で示す斜視図、並びに本発明の簡易スリッパの適した使用例の一例を示す説明図である。
【図２】同上簡易スリッパの一部拡大分解斜視図である。
【図３】同上簡易スリッパの一部拡大側面図（ａ）、同正面図（ｂ）である。
【図４】同上簡易スリッパの参考例（ａ）、（ｂ）並びに１つの実施例（ｃ）を示す、一部拡大側面図である。
【図５】同上簡易スリッパの１つの参考形態（ａ）と、２つの実施例を示す、側面図及び平面図である。
【図６】同上簡易スリッパの技術思想に基づく甲覆体の参考形態を示す平面図及び縦断正面図である。
【図７】同上簡易スリッパの他の使用例を示す斜視図である。
【図８】同上簡易スリッパの他の供給状態を示す説明図である。
【発明を実施するための形態】
【００１７】
本発明を実施するための形態は、以下述べる実施例をその一つとするものであると共に、この技術思想に基づく種々の改良した実施例をも含むものである。
【実施例１】
【００１８】
以下、本発明を図示の実施例に基づいて具体的に説明する。この簡易スリッパＳは、大別してスリッパ台１と甲覆体２とで構成される。このスリッパ台１は、段ボール素材を用いた台板要素１０が組み合わされて構成されるものであり、この図１〜図３に示す実施例では、上部台板要素１１、下部台板要素１２との２つの台板要素１０により構成される。具体的には上部台板要素１１と下部台板要素１２とは、平面形状をほぼ同一としたものであり、それぞれ段ボール素材のうち、波型断面のフルートF に対し、その片面にライナーL を一体に貼り付けた片面段ボールを用いている。そして、これら各上部台板要素１１と下部台板要素１２とは、甲覆体２が固定される位置に一部切り込みを形成して、その部位を甲覆体２の固定部表示１１ａ、１２ａとする。
【００１９】
なお上部台板要素１１と下部台板要素１２は、段ボール原紙から打ち抜き形成されるものあり、その工程において、前記固定部表示１１ａ、１２ａとしての切り込みを形成することが好ましい。
また打ち抜き形成にあたっては、一般的な抜き型機が用いられるが、抜き刃自体は、いわゆる平刃ではなく、刃先が波状乃至は鋸刃状となったものを用いる。これにより図２（ｃ）に拡大して示すように、切断端縁１０Ｅがジグザグ状に形成され、この部位が鋭利にならず安全性が高まる点で好ましい。
更にこの打ち抜きにあたって、抜き刃の両側にスポンジ状の弾性部材を帯状に配しておくときは、この弾性部材がフルートＦの端縁を僅かに押し潰す一方、復帰弾性により抜き刃の抜き出しを助け、円滑な打ち抜き加工に寄与する。
更にまた特に上部台板要素１１の上面（踏面）には、凸凹状のフルートＦの頂部に一定間隔を置いて押し潰し状の点圧向上構造１１ｂを形成している。
【００２０】
次にこれらの上部台板要素１１と下部台板要素１２との張り合わせ形態について説明する。この張り合わせにあたっては、それぞれフルート面が上下に向くように、それぞれの段ボール素材のライナーＬと、フルートＦとの方向を設定するものであり、結果的に段ボール素材のライナーＬ同士があたかも背中合わせ状に固着されている。本発明では、上部台板要素１１のフルートＦの波線方向が、スリッパ台１の幅方向に沿って形成され、一方下部台板要素１２のフルートＦの波線方向は長手方向に延び、結果的に上部台板要素１１と下部台板要素１２とのそれぞれのフルートＦの波線方向は、ほぼ直交した状態となっている。もちろんこの交差角度は、参考形態としては、直交に限らず、図５（ｂ）に示すように人の足先形状である親指側が最も足長が長く、小指側が短いことに因み、その傾きに沿うように上部台板要素１１のフルートＦを構成するようにすることが可能である。
【００２１】
次に甲覆体２について説明すると、この甲覆体２は、スリッパ台１の長手方向中央より前方に設けられる。素材としては、例えばクラフト紙を原素材とし、これをクレープ加工した素材を用い、この素材を帯状に断裁したものにより構成される。
この甲覆体２は、簡易スリッパＳを足先にほど良く履き留める作用が要求されるから、当然ながら帯状の甲覆体２は、長手方向に伸縮可能となるよう、前記クレープ加工の筋方向は、甲覆体２の長手方向に直交する方向に設けられている。なお甲覆体２は、スリッパ台１より上方に露見して足の甲部を上方から支えるような部位を甲覆部２１とし、その両端部は固定部２２とする。この固定部２２が上部台板要素１１と下部台板要素１２とにおける固定部表示１１ａまたは同１２ａの部位を目印に挿し込まれ、上下両面で接着剤等により上部台板要素１１と下部台板要素１２とに挟み込まれるようにして固定がなされる。
【００２２】
本発明は、以上述べたような構成を有するものであり、これを使用するには、通常のスリッパと同様に、スリッパ台１と甲覆体２との間に足先を挿入するようにして用いる。
このとき、甲覆体２が帯状クレープ紙で構成されている場合には、このものが幾分か伸縮自在であることから足の履き留め効果を充分に発揮し、簡易スリッパＳが足先部に極めて自然にフィットした状態で履くことができる。
そして、スリッパ台１にかかった荷重は、適宜台板要素１０の段ボールのフルートＦが幾分か変形ないしは潰れて、そのソフトな履き心地と足の裏の指圧効果、また床面の凹凸を吸収した緩衝効果を発揮する。
【００２３】
加えて、簡易スリッパＳを履いて移動する場合に、下部台板要素１２は、フルートＦの波線方向が長手方向に構成されており、その方向には屈曲の抵抗があるものの、一方で上部台板要素１１は、スリッパ台１の長手方向と直交する方向にフルートＦの波線方向が構成されているから、歩行に伴う、足先部近くでのスリッパ台１の屈曲が自然に行われ、両者の作用が相まって適度な剛性と、履いた際の柔軟性が得られる。
【００２４】
〔他の実施の形態並びに参考形態〕  
本発明は以上述べた実施の形態を一つの基本的な技術思想とするものであるが、更に次のような改変が考えられる。
まずスリッパ台１を形成する台板要素１０について述べると、本発明は、上部台板要素１１と下部台板要素１２とは、ともに片面段ボールを用いているが、参考形態としては図４（ａ）に示すように、両面段ボールを双方、または一方に具えることも可能である。即ち図４（ａ）は、両面段ボールを上部台板要素１１と下部台板要素１２とに用いたものであり、図４（ｂ）は、上部台板要素１１にのみを片面段ボールとして用いているものである。
また図４（ｃ）に示すものは、本発明の他の実施例であり、上部台板要素１１と下部台板要素１２とは、共に片面段ボールであるが、それぞれのフルートＦのピッチを異ならせたものである。
【００２５】
更に台板要素１０については、既に述べた本発明は上部台板要素１１と下部台板要素１２との２枚の台板要素によって構成されているものであるが、参考形態としては、更に台板要素の数を増やしても良い。即ち図５（ａ）に示すように上部台板要素１１と下部台板要素１２との間に中間台板要素１３を設けても良い。この中間台板要素１３は、例えばフルートＦのピッチの短いＥフルートを用いて形成した両面段ボールを用いたり、単なる板紙を適用することもできる。
【００２６】
また図５（ｂ）に示す実施例は、部分台板要素１４を組み合わせたものであり、例えば指圧効果をより高めるために、土踏まず部分台板要素１４ａと、かかとを幾分か上げるためのかかと部分台板要素１４ｂとを具えている。なおかかと部分台板要素１４ｂは、このものを上部台板要素１１の上面側に設けてもよいし、下部台板要素１２の下面側即ち床面側に設置してももとより差し支えない。
【００２７】
また更に図５（ｃ）に示す実施例は、足の指先形状を含む足の裏の形状を考慮して、その部分における台板要素１０を刳り貫いて足の裏の納まり感を向上させたものである。この刳り貫き部を符号１１ｂとして示す。
更にスリッパ台１は、このような段ボール素材を用いることを考慮して、フルートＦとライナーＬとの間に例えば発泡樹脂を全体、または部分的に充填して、その緩衝性能を高めることも可能である。
【００２８】
一方甲覆体２については、先の実施例では、一例として一枚の帯状クレープ紙によって構成したが、これを２枚重ね等の複数重ねて強固な伸縮性を発揮させるようにすることも可能である。なお甲覆体２に伸縮性を持たせるにあたっては、クレープ紙を素材として選択するほか、本発明の技術思想に基づく参考形態として図６（ａ）に示すように板紙Ｂに蛇腹状伸縮が可能なスリット２４を形成しても良い。同様に図６に示すように例えば片面段ボール紙Ｂを帯状に断裁して、甲覆体２の素材を得、その甲覆部２１の範囲のライナーＬにスリット２４を入れて隣り合うフルートＦ同士の拘束を解き、甲覆体２の伸縮を得るようにしてもよい。
また甲覆体２については、その上面が最も目視され易い位置であり、従って図７に示すようにここに簡易スリッパＳの提供者、スポンサー等の広告表示等をすることも可能である。
また本発明の簡易スリッパＳは、当然ながら完成状態で市場に供給されることを前提とするが、図８に示すようにスリッパ台１と甲覆体２とをブランク取りした状態の素材の状態で接着剤Ｇとともに提供し、利用者が自ら組み立てるようにすることもできる。このような供給形態を採る理由は、この種のスリッパが災害等の発生時、避難場所等で応急的に利用できることによる。即ち、例えば学校等における防災教育を体験させる中で、その体験をより印象付ける目的でスリッパの組み立て体験をさせるような用い方を想定したものである。
【符号の説明】
【００２９】
Ｓ      簡易スリッパ
Ｆ      フルート
Ｌ      ライナー
Ｇ      接着剤
１      スリッパ台
１０    台板要素
１０Ｅ  切断端縁
１１    上部台板要素
１１ａ  固定部表示
１１ｂ  刳り貫き部
１２    下部台板要素
１２ａ  固定部表示
１３    中間台板要素
１４    部分台板要素
１４ａ  土踏まず部分台板要素
１４ｂ  かかと部分台板要素
２      甲覆体
２１    甲覆部
２２    固定部
【図１】
0005844322.tif 000002
【図２】
0005844322.tif 000003
【図３】
0005844322.tif 000004
【図４】
0005844322.tif 000005
【図５】
0005844322.tif 000006
【図６】
0005844322.tif 000007
【図７】
0005844322.tif 000008
【図８】
0005844322.tif 000009